(57)【要約】【課題】人間が連続的に把握できないような長時間にわたる時間の流れを意識できるようなカウントダウン装置を提供する。【解決手段】砂時計型カウントダウン装置は，計時装置１００と，砂時計様オブジェ，すなわち視覚的に時間量を表示する仮想時間媒体を残存時間表示用仮想空間から経過時間表示用仮想空間に視覚的に移動させて目標時間の残存時間または経過時間を視覚的に把握可能に構成した表示装置２００と，カウントダウン設定装置３００を備えている。カウントダウン設定装置は，カウントダウン項目に応じて，日数単位，週数単位，月数単位または年数単位で目標時間を設定することが可能なので，観察者に時間の流れを意識させることができる。【選択図】　　　図１
2004061441.tif 000002
【特許請求の範囲】
【請求項１】
計時装置と，視覚的に時間量を表示する仮想時間媒体を残存時間表示用仮想空間から経過時間表示用仮想空間に視覚的に移動させて目標時間の残存時間または経過時間を視覚的に把握可能に構成した表示装置と，を備えた砂時計型カウントダウン装置であって：
さらに，カウントダウン設定装置を備え，
前記カウントダウン設定装置は，カウントダウン項目に応じて，日数単位，週数単位，月数単位または年数単位で目標時間を設定することが可能であることを特徴とする，砂時計型カウントダウン装置。
【請求項２】
前記カウントダウン設定装置は，個人情報登録装置を備えており，前記目標時間は時間的個人情報と関連付けて設定されることを特徴とする，請求項１に記載の砂時計型カウントダウン装置。
【請求項３】
前記表示装置は，前記残存時間表示用仮想空間および前記経過時間表示用仮想空間により分割された少なくとも２つの空間の一方に時を他方に分を表示することを特徴とする，請求項１または２に記載の砂時計型カウントダウン装置。
【請求項４】
前記表示装置は，現在表示中のカウントダウン項目を表示することが可能であることを特徴とする，請求項１，２または３のいずれかに記載の砂時計型カウントダウン装置。
【請求項５】
前記表示装置は，経過時間に応じて表示方式を変更することを特徴とする，請求項１，２，３または４のいずれかに記載の砂時計型カウントダウン装置。
【請求項６】
前記表示装置は，フラットパネルディスプレイであることを特徴とする，請求項１，２，３，４または５のいずれかいに記載の砂時計型カウントダウン装置。
【発明の詳細な説明】
【０００１】
【産業上の利用分野】
本発明は，砂時計型カウントダウン装置に関する。
【０００２】
【従来の技術】
従来，ガラス等の透明材料から成る２つの略円錐状容器の先端部分を相互に連通するように堤状に連結し，その中に砂等の流動物を封入した砂時計が知られている。砂時計は，砂等の流動物を上方の円錐状容器から下方の円錐状容器に引力を利用して連続的に移動させることにより，封入した流動物の量に応じた時間量を視覚的に計測することが可能である。すべての流動物が下方の円錐状容器に移動した場合には，上下を反転させることにより，新たな時間量の計測を開始できる。
【０００３】
砂時計は，数分単位の時間の経時的変化を視覚的にかつアナログ的に把握することができるため，料理などの現場において，あるいはサウナ室などにおいて，広く使用されている。しかしながら，従来の砂時計は，寸法的な限界を有しているため，せいぜい数十分単位の時間の計測を行えるに過ぎず，数日におよぶ時間単位はもとより，数ヶ月あるいは数年におよぶ時間単位の計測を行うことは不可能であった。
【０００４】
また，コンピュータ技術の進歩に伴い，仮想的に構成された砂時計をディスプレイ上に表示させる技術も知られている。しかしながら，仮想的砂時計についても，従来の現物の砂時計と同様の使用方法が基本であり，人間が連続的に把握できる時間単位である数分間にわたる時間量を計測することを目的とするものであった。しかしながら，人間が連続的に把握できないような長時間，例えば日数単位，週数単位，月数単位または年数単位で計測される時間量の計量を行うことを目的とするものは知られていなかった。さらに，特定の人物の時間的個人情報，例えば，生年月日，結婚記念日，結婚予定日，余命などの情報と関連付けて計量を行うような砂時計は知られていなかった。
【０００５】
一方，例えば，ワールドカップ開催日などの数年先にまでおよぶ目標時間までのカウントダウンを行いたい場合がある。かかる場合には，通常は，ディジタル方式のカウントダウン装置を用いて，例えば「ワールドカップ開催まで１２５日」などと表示するのが一般的であった。しかしながら，ディジタル方式のカウントダウン装置では，目標時間までの残存時間を量的に把握し難く，カウントダウン開始日からの時の流れを把握することができず，またディジタル方式であるため無機的で臨場感に欠けるという問題もあった。
【０００６】
【発明が解決しようとする課題】
本発明は，従来のカウントダウン装置が有する上記問題点に鑑みてなされたものであり，人間が連続的に把握できないような長時間にわたるカウントダウン項目をカウントダウン可能であり，カウントダウン開始時間からの経過時間と目標時間までの残存時間との量的関係を視覚的にかつ有機的に容易に把握可能とすることにより，正確な時刻よりもむしろ，時の流れを意識するように人間の思考や情感に直接訴えることが可能な新規かつ改良されたカウントダウン装置を提供することを目的としている。
【０００７】
【課題を解決するための手段】
上記課題を解決するために，本発明によれば，計時装置と，視覚的に時間量を表示する仮想時間媒体を残存時間表示用仮想空間から経過時間表示用仮想空間に視覚的に移動させて目標時間の残存時間または経過時間を視覚的に把握可能に構成した表示装置と，を備えた砂時計型カウントダウン装置が提供される。本発明にかかる砂時計型カウントダウン装置は，さらに，カウントダウン設定装置を備えている。このカウントダウン設定装置は，カウントダウン項目に応じて，日数単位，週数単位，月数単位または年数単位で目標時間を設定することが可能である。
【０００８】
かかる構成によれば，カウントダウン項目，例えば，残り人生など従来の砂時計では設定が困難であった長時間にわたるカウントダウン時間であっても，例えば日数単位，週数単位，月数単位または年数単位の設定が可能であり，しかも砂時計様オブジェとして，観察者に時間の流れおよび経過時間と残存時間との関係を視覚的に直感させることが可能となる。
【０００９】
さらに，カウントダウン設定装置に個人情報登録装置を設け，目標時間を時間的個人情報と関連付けて設定するように構成しても良い。かかる構成によれば，例えば時間的個人情報として，誕生日を入力しておけば，平均寿命から余命を自動計算し，あるいは，次の誕生日を自動計算し，カウントダウン項目を容易に設定できる。
【００１０】
また，表示装置は，残存時間表示用仮想空間および経過時間表示用仮想空間により分割された少なくとも２つの空間の一方に時を他方に分を表示するように構成しても良い。かかる構成によれば，観察者は，通常の時計と同様に，正確な現在時刻もあわせて把握することができる。
【００１１】
表示装置は，現在表示中のカウントダウン項目を表示することが可能なように構成しても良い。かかる構成によれば，一つの砂時計型カウントダウン装置により，複数のカウントダウン項目，例えば残りの人生と結婚式を同時に管理し，観察者が使用しやすいように加工して，提供することが可能である。
【００１２】
表示装置は，経過時間に応じて表示方式を変更するように構成しても良い。かかる構成によれば，より臨場感に浸りながらカウントダウンのゴールを待つことが可能である。
【００１３】
さらに，表示装置は，液晶パネルやプラズマディスプレイなどのフラットパネルディスプレイとして構成することが可能である。
【００１４】
【発明の実施形態】
以下に添付図面を参照しながら，本発明にかかる砂時計型カウントダウン装置の好適な実施形態について詳細に説明する。なお以下の説明および添付図面において，略同一の機能構成を有する構成要素については同一の符号を付することにより詳細説明を省略することにする。
【００１５】
図１は，本実施の形態にかかる砂時計型カウントダウン装置の概略構成を示している。砂時計型カウントダウン装置は，計時装置１００と，表示装置２００と，カウントダウン設定装置３００とから主に構成されている。
【００１６】
計時装置１００は，例えば，クロック機能を有する演算装置である。計時装置１００は，後述するカウントダウン設定装置３００により設定された諸条件に基づいて計時を行い，表示装置２００に砂時計のような時間の流れを直感的に把握できるような仮想形状（以下，砂時計様オブジェとも称する。）を表示させる。
【００１７】
表示装置２００は，砂時計様オブジェを表示できればよく，さまざまな表示装置として構成することができる。例えば，液晶パネルなどのフラットパネルを用いて掛時計，置時計，腕時計として構成することが可能である。さらに，パーソナルコンピュータやＰＤＡなどの表示装置として構成したり，携帯電話やＰＨＳの表示装置として構成したり，さらには情報家電の表示装置として構成することも可能である。
【００１８】
いずれの態様を採用しようとも，表示装置２００は，図２に示すように，砂時計様オブジェを表示させることにより，視覚的に時間量を表示する仮想時間媒体２１０を残存時間表示用仮想空間２２０から経過時間表示用仮想空間２３０に視覚的に移動させて目標時間の残存時間または経過時間を視覚的に把握可能に構成されている。
【００１９】
砂時計様オブジェの残存時間表示用仮想空間２２０と経過時間表示用仮想空間２３０とは，図示の例によれば，それぞれが略三角形状または略円錐形状をしており，頂点部分どうしが連結され，全体として堤形状，すなわち砂時計形状を成すように構成されている。
【００２０】
図示の例では，古くから慣れ親しんだ形状として，堤型の砂時計形状を成すように残存時間表示用仮想空間２２０と経過時間表示用仮想空間２３０とを組み合わせたが，本発明はかかる例に限定されない。残存時間表示用仮想空間と経過時間表示用仮想空間とは，さまざまな形状とすることが可能であり，例えば，それぞれの空間を略四角形状や略円形状に構成して相互に連結し，いわゆるバーベル状に構成することも可能である。また，図１１に示すように，残存時間表示用仮想空間と経過時間表示用仮想空間とが相互に連結されず，それぞれが単独に存在するように構成することも可能である。さらにまた，図１２に示すように，残存時間表示用仮想空間と経過時間表示用仮想空間とを同一空間として構成し，仮想時間媒体の移動によって，残存時間表示用仮想空間と経過時間表示用仮想空間とを区画するように構成してもよい。
【００２１】
砂時計様オブジェにおいて視覚的に時間量変化を表示する仮想時間媒体２１０は，例えば砂などの紛粒体，あるいは水などの流体，さらには星や花などのより具象形状の仮想時間媒体として構成することができる。どのような形状に仮想時間媒体を表示させるかは，本発明を実施する者の自由設計の範囲内であるが，いずれにせよ，仮想時間媒体を残存時間表示用仮想空間２２０から経過時間表示用仮想空間２３０に視覚的に移動させて目標時間の残存時間または経過時間を視覚的に把握可能にし，観察者に時間の流れを意識させるように構成することが肝要である。
【００２２】
本実施の形態によれば，人間が連続的に認識できないような長時間にわたる時間の流れを仮想的な砂時計（砂時計様オブジェ）を表示させることにより意識させているが，図２に示す表示装置２００のように，現在時刻，例えば「１２：３４」を表示させて，現在時刻を観察者に認識させるように構成してもよい。現在時刻は，例えば，残存時間表示用仮想空間２２０および経過時間表示用仮想空間２３０により分割された少なくとも２つの空間２４０，２５０の一方（左側空間２４０）に時を他方（右側空間２５０）に分を表示するように構成されている。
【００２３】
次に，図３を参照しながら，カウントダウン設定装置３００の構成について説明する。カウントダウン設定装置３００は，図示のように，項目設定部３１０，開始時間設定部３２０，目標時間設定部３３０，計時単位設定部３４０，個人情報設定部３５０から主に構成されている。
【００２４】
項目設定部３１０は，本実施の形態にかかる表示装置２００に図示される砂時計様オブジェによってカウントダウンを行う項目を設定する機能を有している。項目設定部３１０において，使用者の用途に応じて，各種のカウントダウン項目を設定することができる。項目設定部３１０は，例えば図４に示すように，残り人生３１１，誕生日３１２，結婚記念日３１３，自由設定項目（１）３１４，自由設定項目（２）３１５，…，自由設定項目（ｎ）３１６などから構成することができる。
【００２５】
残り人生３１１を設定した場合には，残り人生，たとえば平均寿命，医師などから宣告された余命，自ら想定した余命までのカウントダウンを行う砂時計様オブジェを表示することができる。例えば，使用者が４０歳の場合には，平均寿命に基づいて，残存時間が４０年と設定され，砂時計様オブジェは４０年かけてゆっくりと時の流れを刻んでいく。その結果，使用者は残りの人生を有意義に過ごそうと試みるかもしれない。場合によっては，家族を捨てて愛人と南の島へ逃避行してしまうかもしれない。
【００２６】
誕生日３１２を設定した場合には，自分や恋人や子供などの次の誕生日までのカウントダウンを行う砂時計様オブジェを表示させることができる。例えば，使用者が子供の場合には，この砂時計様オブジェを見るたびに，次の誕生日が待ち遠しいであろうし，２９歳の女性であれば，今付き合っている彼との結婚を決断するかもしれない。
【００２７】
結婚記念日３１３を設定した場合には，次の結婚記念日，あるいは銀婚式や金婚式などの特定の結婚記念日までのカウントダウンを行う砂時計様オブジェを表示させることができる。例えば，使用者が新婚であれば，次の結婚記念日までの時の流れを楽しむことができるであろう。結婚記念日など忘れがちの倦怠期夫婦であれば，夫婦の絆が強まるかもしれないし，あるいは逆に離婚の決断を早める原因になるかもしれない。
【００２８】
自由設定項目（１），（２），…，（ｎ）３１４，３１５，３１６には，使用者がカウントダウンの目標時間を自由に設定することが可能である。例えば，使用者がサッカーフリークであれば，４年ごとに次のワールドカップ開催に向けて砂時計様オブジェをリセットすることにより，人生に張りを持たせることができるかもしれない。結婚式を間近に控えた二人のペアウォッチとして砂時計用オブジェを表示させれば，結婚式に向けて二人の気持ちは燃え上がっていくかもしれないし，あるいは逆に日ごとブルーな気分になっていくかもしれない。使用者が受験生であれば，受験日までのカウントダウンを行う砂時計様オブジェを表示させ，勉強から逃避する回数を減らすことができるかもしれない。
【００２９】
項目設定部３１０において設定されるカウントダウン項目については，図２に示すように，表示装置２００に表示させないように構成することもできる。あるいは，図９や図１１に示すように，表示装置に表示させるように構成することもできる。
【００３０】
カウントダウン設定装置３００の開始時間設定部３２０は，カウントダウンを行う開始時間を設定する機能を有している。開始時間は，図５に示すように，現在時刻３２１，設定項目から選択３２２，自由設定３２３などのメニューから選択することができる。
【００３１】
現在時刻３２１では，カウントダウンの開始時間を現在時刻に設定することができる。この場合には，カウントダウン開始時には，経過時間表示用空間には仮想時間媒体は何も表示されない。
【００３２】
設定項目から選択３２２では，後述する個人情報設定部３５０において入力された時間的個人情報から，自動的に演算された設定項目から開始時間を選択することができる。開始時間として設定される設定項目としては，例えば，誕生日，結婚記念日などである。誕生日をカウントダウン開始時間に設定すれば，経過時間表示用空間には，誕生日から現在時刻までの経過を示す仮想時間媒体が表示される。
【００３３】
自由設定３２３では，使用者が希望する任意の時間をカウントダウンの開始時間とすることができる。例えば，サッカーフリークの場合には，ワールドカップの決勝戦終了日の翌日を次回のワールドカップ開催までのカウントダウンを行う砂時計様オブジェの開始時間として設定することができる。
【００３４】
なお，開始時間は，時分秒単位で設定することも可能であるが，本実施の形態にかかる砂時計様オブジェの趣旨に沿えば，人間が連続的に把握できないような長時間にわたる時間の流れを視覚的に表示することにあるので，日月単位，場合によっては年単位で設定することが好ましい場合もある。
【００３５】
カウントダウン設定装置３００の目標時間設定部３３０では，カウントダウンの終点である目標時間を設定する機能を有している。目標時間設定部３３０は，図６に示すように，設定項目から選択３３１や自由設定３３２などのメニューから選択することができる。
【００３６】
設定項目から選択３３１では，項目設定部３１０で設定された項目，例えば，残り人生３１１，誕生日３１２，結婚記念日３１３などからカウントダウンのゴールを選択することができる。ここで選択可能な項目については，図４に示す項目設定部３１０に関して説明したので，詳細な説明は省略する。
【００３７】
自由設定３３２では，使用者の希望に応じて，任意にカウントダウンの終点を設定することができる。例えば，使用者が入院患者の場合には，担当医師から告知された退院予定日をカウントダウンのゴールとして設定することができる。
【００３８】
目標時間は，開始時間と同様に，時分秒単位で設定することも可能であるが，本実施の形態にかかる砂時計様オブジェの趣旨に沿えば，人間が連続的に把握できないような長時間にわたる時間の流れを視覚的に表示することにあるので，日月単位，場合によっては年単位で設定することが好ましい場合もある。
【００３９】
カウントダウン設定装置３００の計時単位設定部３４０は，砂時計様オブジェによりカウントダウンを行う計時単位を設定する機能を有している。計時単位設定部３４０は，年単位３４１，月単位３４２，週単位３４３，日単位３４４，分単位３４５，秒単位３４６などの代表的な時間単位から計時単位を選択することができる。ここで選択された計時単位は，図２に示すように，視覚的に時間の流れを表示する仮想時間媒体２１０の移動単位２１２反映させることにより，より直感的に時間の流れを観察者に意識させることができる。
【００４０】
次に，図８を参照しながら，カウントダウン設定装置３００の個人情報設定部３５０について説明する。個人情報設定部３５０は，使用者の個人情報，特に砂時計様オブジェクトによりカウントダウンを行う目標時間を自動計算するために必要な時間的個人情報などを収集する機能を有する。
【００４１】
ここで収集される個人情報としては，例えば，使用者本人３５１に関するもの，使用者の家族３５２，３５３，３５４に関するもの，使用者の知人３５５，３５６，３５７に関するものに類型化可能である。それぞれの収集メニューにおいて，氏名，ニックネーム，続柄，住所，電話番号等の一般的な個人情報に加えて，時間的個人情報，例えば誕生日，結婚記念日などを入力することができる。
【００４２】
不図示の演算装置は，ここで入力された時間的個人情報に基づいて，図４に示す項目設定部３１０において表示される項目のうち，自動計算が可能な項目，例えば平均寿命に基づく残り人生３１１，誕生日（成人式などの特殊な誕生日を含む）３１２，結婚記念日（銀婚式や金婚式などの特殊な記念日を含む）３１３を自動演算して，不図示の記憶装置に記憶しておくことができる。
【００４３】
以上の構成された本実施の形態にかかる砂時計型カウントダウン装置によれば，人間が連続的に把握できないような長時間にわたる時間の流れを直感的に意識させることが可能な哲学的な砂時計様オブジェを提供することが可能である。
【００４４】
例えば，残り人生を表示する砂時計様オブジェを例に挙げて説明する。使用者が４０歳であり平均寿命が８０歳の場合には，経過時間表示用仮想空間に表示される仮想時間媒体は４０歳分であり，残存時間時間表示用仮想空間に表示される仮想時間媒体も同様に４０歳分である。
【００４５】
この時点で使用者は，自分が人生の折り返し地点にいることを直感的に把握することが可能である。その後の意識については，個人差があることは言うまでもない。例えば，ある人はまだ４０歳も生きられると積極的に考えるかもしれない。またある人はあと４０歳しか生きられないのかと消極的に考えるかもしれない。しかし，いずれにせよ，本実施の形態に基づく砂時計様オブジェにより，通常は意識下にある時間の流れが，観察者に視覚的に直感することが可能になるのである。
【００４６】
さらに，例えば，計時単位を月単位に設定した場合には，残存時間表示用仮想空間から経過時間表示用仮想空間に移動する仮想時間媒体の単位も月単位ととなり，仮想時間媒体は，一月ごとに一単位ずつゆっくりと残存時間表示用仮想空間から経過時間表示用仮想空間に移動することになる。その動きは，非常にゆっくりしたものであり，観察者にとって肉眼で把握することは困難であるが，現実の時間の流れと同様に，仮想時間媒体は確実に残存時間表示用仮想空間から経過時間表示用仮想空間に移動していくのである。
【００４７】
図９には，本発明の他の実施形態にかかる砂時計型カウントダウン装置の表示装置２６０，２７０が示されている。この実施形態においては，表示項目を変更することが可能であり，かつ表示装置２６０，２７０の画面に現在表示されている砂時計様オブジェのカウントダウン項目が表示されている。
【００４８】
すなわち，図示の例で言えば，表示装置２６０の砂時計様オブジェは，残り人生を示すものであり，下方に「残り人生」というタイトルが表示される。これに対して，表示装置２７０の砂時計様オブジェは，結婚までのカウントダウンを示すものであり，下方に「結婚まで」というタイトルが表示される。
【００４９】
図１０には，本発明のさらに別の実施形態にかかる砂時計型カウントダウン装置の表示装置２８０，２９０が示されている。この実施形態においては，砂時計様オブジェの周辺に表示される時間の表示モードを変更することが可能である。
【００５０】
すなわち，図示の例で言えば，表示装置２８０は，砂時計様オブジェの近傍に，現在の時刻，例えば「７：２５」が表示される時刻モードの状態を示している。これに対して，表示装置２９０は，砂時計様オブジェの近傍に，カウントダウンの残存時間，例えば「２８年４月」が表示されるカウントダウンモードの状態を示している。
【００５１】
このように，現在時刻のみならず，カウントダウンの残存時間も表示可能にすることで，観察者に対して，よりリアルに時間の流れを意識させることが可能となる。
【００５２】
さらに，本発明のさらに別の実施形態によれば，表示装置は，経過時間に応じて表示方式を変更するように構成することができる。例えば，結婚式までのカウントダウンを行う砂時計様オブジェを構成する場合には，結婚式が近づくにつれて，全体がピンク色に変化するように構成することができる。あるいは，受験までのカウントダウンを行う砂時計様オブジェを構成する場合には，受験が近づくにつれて，青色から黄色に，さらに受験直前には赤色に，砂時計様オブジェを変化させることにより，緊迫感を盛り上げることが可能である。
【００５３】
上記例では，砂時計様オブジェの色を変化させる場合について説明したが，本発明はかかる例に限定されない。例えば，時間経過に伴って，砂時計様オブジェの形状自体が変化するように構成したり，さらには，所定時間が経過するとアラームを発するように構成したりすることも可能である。
【００５４】
以上，添付図面を参照しながら，本発明の好適な実施形態にかかる砂時計型カウントダウン装置について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５５】
例えば，上記実施形態においては，堤型の砂時計形状を成すように残存時間表示用仮想空間２２０と経過時間表示用仮想空間２３０とを組み合わせたが，本発明はかかる例に限定されない。残存時間表示用仮想空間と経過時間表示用仮想空間とは，さまざまな形状とすることが可能であり，例えば，図１１に示す表示装置４００のように，残存時間表示用仮想空間と経過時間表示用仮想空間とが相互に連結されず，それぞれが単独に存在するように構成することも可能である。さらにまた，図１２の表示装置５００，５１０に示すように，残存時間表示用仮想空間と経過時間表示用仮想空間とを同一空間として構成し，仮想時間媒体の移動によって，残存時間表示用仮想空間と経過時間表示用仮想空間とを区画するように構成してもよい。
【００５６】
【発明の効果】
以上説明したように，本発明によれば，カウントダウン項目，例えば，残り人生など従来の砂時計では設定が困難であった長時間にわたるカウントダウン時間であっても，例えば日数単位，週数単位，月数単位または年数単位の設定が可能であり，しかも砂時計様オブジェとして，観察者に時間の流れおよび経過時間と残存時間との関係を視覚的に直感させることが可能となる。
【図面の簡単な説明】
【図１】本発明の実施の一形態にかかる砂時計型カウントダウン装置の概略構成を示すブロック図である。
【図２】本発明の実施の一形態にかかる砂時計型カウントダウン装置の表示装置を示す説明図である。
【図３】本発明の実施の一形態にかかる砂時計型カウントダウン装置のカウントダウン設定装置の概略構成を示すブロック図である。
【図４】本発明の実施の一形態にかかる砂時計型カウントダウン装置のカウントダウン設定装置の項目設定部の概略構成を示すブロック図である。
【図５】本発明の実施の一形態にかかる砂時計型カウントダウン装置のカウントダウン設定装置の開始時間設定部の概略構成を示すブロック図である。
【図６】本発明の実施の一形態にかかる砂時計型カウントダウン装置のカウントダウン設定装置の目標時間設定部の概略構成を示すブロック図である。
【図７】本発明の実施の一形態にかかる砂時計型カウントダウン装置のカウントダウン設定装置の計時単位設定部の概略構成を示すブロック図である。
【図８】本発明の実施の一形態にかかる砂時計型カウントダウン装置のカウントダウン設定装置の個人情報設定部の概略構成を示すブロック図である。
【図９】本発明の実施の一形態にかかる砂時計型カウントダウン装置のカウントダウン設定装置の表示項目変更状態を示す説明図である。
【図１０】本発明の実施の一形態にかかる砂時計型カウントダウン装置のカウントダウン設定装置のモード切換状態を示す説明図である。
【図１１】本発明の他の実施一形態にかかる砂時計型カウントダウン装置の表示装置を示す説明図である。
【図１２】本発明の他の実施一形態にかかる砂時計型カウントダウン装置の表示装置を示す説明図である。
【図１】
2004061441.tif 000003
【図２】
2004061441.tif 000004
【図３】
2004061441.tif 000005
【図４】
2004061441.tif 000006
【図５】
2004061441.tif 000007
【図６】
2004061441.tif 000008
【図７】
2004061441.tif 000009
【図８】
2004061441.tif 000010
【図９】
2004061441.tif 000011
【図１０】
2004061441.tif 000012
【図１１】
2004061441.tif 000013
【図１２】
2004061441.tif 000014